【手続補正書】
【提出日】平成16年1月26日(2004.1.26)
【手続補正１】
【補正対象書類名】明細書
【補正対象項目名】特許請求の範囲
【補正方法】変更
【補正の内容】
【特許請求の範囲】
【請求項１】
ピックアップを介して、複数の種類のディスクに収録された信号をそれぞれ再生することができる光学式ディスク再生装置において、
再生対象となるディスクに対応させて、前記ピックアップから出射されるビームのための開口数を変更する開口数変更手段と、
前記開口数変更手段による前記開口数の変更に応じて、前記ピックアップに接続された信号処理系の特性を、再生される前記ディスクに対応させた状態に変更する信号処理系変更手段とを具備したことを特徴とする光学式ディスクの再生装置。
【請求項２】
ピックアップを介して、互いに記録フォーマットの異なる複数の種類のディスクに収録されたデータをそれぞれ再生することができる光学式ディスク再生装置において、
再生対象となるディスクに対応させて、前記ピックアップから出射されるビームのための開口数を変更する開口数変更手段と、
前記開口数変更手段による前記開口数の変更に応じて、前記ピックアップに接続されたデータ処理系の特性を、再生されるディスクの記録フォーマットに対応させた状態に切換えるデータ処理系切換え手段とを具備したことを特徴とする光学式ディスクの再生装置。
【請求項３】
ビームのスポットの大きさが異なる又は波長の異なる複数の光学系のいずれか１つを選択可能とする切り換え手段を搭載した光ピックアップ装置と、
光学式ディスクの種類に応じて、複数の信号処理特性のうちいずれか１つの信号処理特性を設定可能であり、前記光ピックアップ装置からの信号を処理するための信号処理部と、
前記光ピックアップ装置の前記複数の光学系のなかのいずれか１つの光学系と、前記信号処理部の前記複数の信号処理特性のうちのいずれか１つの信号処理特性との一方を設定すると、他方の関連した光学系または信号処理特性をアクティブ状態に選択設定する制御部とを具備したことを特徴とする光学式ディスクの再生装置。
【請求項４】
ビームのスポットの大きさが異なる又は波長が異なる複数の光学系と、前記複数の光学系のいずれか１つを選択可能とする切り換える切り換え手段と、
ディスクに照射されたビームの反射光を検出する検出手段と、
前記ディスクに対するフォーカス調整機構と、
前記ディスクに対するトラッキング調整機構とを搭載した光ピックアップ装置と、
前記ディスクの種類に応じて処理特性を切換え可能であり、前記検出手段が検出した信号を用いて、前記ディスクに記録されている信号を再生する信号処理部と、
前記ディスクの種類に応じて特性を切換え可能であり、前記検出手段が検出した信号を用いて、フォーカスエラー信号を生成し、前記フォーカス調整機構にフィードバックするフォーカスサーボ手段と、
前記ディスクの種類に応じて特性を切換え可能であり、前記検出手段が検出した信号を用いて、トラッキングエラー信号を生成し、前記トラッキング調整機構にフィードバックするトラッキングサーボ手段と、
前記複数の光学系のうち、所定のディスクに適応する任意の光学系を、前記切り換え手段に選択させる光学系設定手段、及び前記光学系設定手段が前記任意の光学系を選択したときに、前記信号処理部及びフォーカスサーボ手段、トラッキングサーボ手段を前記所定のディスクに対応した処理特性及びサーボ特性に切換えるシステム設定手段、及び前記ディスクの種類判別手段を有したシステム制御手段と
を具備したことを特徴とする光学式ディスクの再生装置。
【請求項５】
前記システム制御手段は、
前記種類判別手段が、ディスクの種類を判別したときに、その判別されたディスクの種類が、操作入力情報により指定されているディスクの種類と同じであるかどうかを確認し、異なる場合には警告表示を行う手段を有することを特徴とする請求項４記載の光学式ディスクの再生装置。
【請求項６】
前記システム制御手段は、
ディスクセット時にディスクの種類を自己指定する手段と、
前記光学系設定手段及び前記システム設定手段が、指定された前記ディスクに対応する再生状態を構築したときに、
前記信号処理部の再生信号のエラーが所定の量より多い場合には、警告表示を行い、前記自己指定手段に対して別の種類のディスクを指定するように指示し、前記エラーが所定の量より小さい場合には、再生動作を実行する手段とを有したことを特徴とする請求項４記載の光学式ディスクの再生装置。
【請求項７】
ビームのスポットの大きさが異なる又は波長の異なる複数の光学系と、
前記複数の光学系のいずれか１つを選択可能とする切り換え手段と、
ディスクに照射されたビームの反射光を検出する検出手段と、
前記ディスクに対するフォーカス調整機構と、前記ディスクに対するトラッキング調整機構とを搭載した光ピックアップ装置と、
前記ディスクの種類に応じて処理特性を切換え可能であり、前記検出手段が検出した信号を用いて、前記ディスクに記録されている信号を再生する信号処理部と、
前記ディスクの種類に応じて特性を切換え可能であり、前記検出手段が検出した信号を用いて、フォーカス判別用信号を生成し、前記フォーカス調整機構にフィードバックするフォーカスサーボ手段と、
前記ディスクの種類に応じて特性を切換え可能であり、前記検出手段が検出した信号を用いて、トラッキング判別用信号を生成し、前記トラッキング調整機構にフィードバックするトラッキングサーボ手段と、
前記ディスクの種類の指定入力情報に応じて、前記複数の光学系のうち、使用する光学系として任意のディスクに適応した任意の光学系を、前記切り換え手段に選択させる光学系設定手段と、
前記光学系設定手段が前記任意の光学系を選択したときに、前記信号処理部及びフォーカスサーボ手段、トラッキングサーボ手段を前記任意のディスクに対応した処理特性及びサーボ特性に切換えるシステム設定手段と、
前記信号処理部における再生信号のエラーが所定の量より多い場合には、前記ディスクの種類の指定の変更を行うディスク設定モード切り換え手段と、
前記信号処理部における再生信号の前記エラーが所定の量より小さい場合には、再生動作を実行する手段と
を有したことを特徴とする光学式ディスクの再生装置。
【請求項８】
ピックアップを介して、複数の層からなる複合ディスクに収録された信号をそれぞれ再生することができる光学式ディスク再生装置において、
複数の信号処理系のうち適性な信号処理系を，再生するディスクの各層に対応させるために、前記ピックアップに設けられている反射光検出手段の検出信号が前記ディスクの層表面を検出したことを示すときに、前記複数の信号処理系のうちのいずれか１つの系を設定する状態設定手段を具備した光学式ディスク再生装置。
【請求項９】
ビームのスポットの大きさが異なる又は波長の異なる複数の光学系のいずれか１つを選択可能とする切り換え手段を搭載した光ピックアップ装置と、
光学式ディスクの層に応じて、複数の信号処理特性のうちいずれか１つの信号処理特性を設定可能であり、前記光ピックアップ装置からの信号を処理するための信号処理部と、
前記光ピックアップ装置の前記複数の光学系のなかのいずれか１つの光学系と、前記信号処理部の前記複数の信号処理特性のうちのいずれか１つの信号処理特性との一方を設定すると、他方の関連した光学系または信号処理特性をアクティブ状態に選択設定する制御部と
を具備したことを特徴とする光学式ディスクの再生装置。
【請求項１０】
複数の層を有したディスクを再生する装置であり、
波長が異なる複数の光学系と、前記複数の光学系のいずれか１つを搭載されたディスクの任意の層の層表面に作用させるように切り換える切り換え手段と、前記ディスクの層の層表面に照射されたビームの反射光を検出する検出手段と、前記層の層表面に対するフォーカス調整機構と、前記ディスクの記録トラックに対するトラッキング調整機構とを搭載した光ピックアップ装置と、
前記層の層表面の記録信号に応じて処理特性を切換え可能であり、前記検出手段が検出した信号を用いて、前記ディスクに記録されている信号を再生する信号処理部と、
前記層の層表面の記録信号に応じて特性を切換え可能であり、前記検出手段が検出した信号を用いて、フォーカスエラー信号を生成し、前記フォーカス調整機構にフィードバックするフォーカスサーボ手段と、
前記層の層表面の記録信号に応じて特性を切換え可能であり、前記検出手段が検出した信号を用いて、トラッキングエラー信号を生成し、前記トラッキング調整機構にフィードバックするトラッキングサーボ手段と、
前記複数の光学系のうち、前記層の所定の層表面の記録信号に適応する任意の光学系を、前記切り換え手段に選択させる光学系設定手段、及び前記光学系設定手段が前記任意の光学系を選択したときに、前記信号処理部及びフォーカスサーボ手段、前記トラッキングサーボ手段を前記層の前記記録信号に対応した処理特性及びサーボ特性に切換えるシステム設定手段、及び前記層の判別手段を有したシステム制御手段と
を具備したことを特徴とする光学式ディスクの再生装置。
【請求項１１】
ビームのスポットの大きさが異なる又は波長の異なる複数の光学系を含む光学装置と、
前記複数の光学系の中のいずれか１つを光ディスクに対向させる手段と、
前記光ディスクに照射されたビームの反射光を検出する検出手段と、
前記ディスクに対するフォーカス調整機構及び前記ディスクに対するトラッキング調整機構と、
前記光ディスクの種類に応じて処理特性を切換え可能であり、前記検出手段が検出した信号を用いて、前記ディスクに記録されている信号を再生する信号処理部と、
前記光ディスクの種類に応じて特性を切換え可能であり、前記検出手段が検出した信号を用いて、フォーカス判別用信号を生成し、前記フォーカス調整機構にフィードバックするフォーカスサーボ手段と、
前記ディスクの種類に応じて特性を切換え可能であり、前記検出手段が検出した信号を用いて、トラッキング判別用信号を生成し、前記トラッキング調整機構にフィードバックするトラッキングサーボ手段と、
ディスクの種類の指定入力情報に応じて、前記複数の光学系のうち、使用する光学系として任意のディスクに適応した任意の光学系を、前記切り換え手段に選択させる光学系設定手段を含みむシステム制御手段と、
前記光学系設定手段が前記任意の光学系を選択したときに、前記信号処理部及びフォーカスサーボ手段、トラッキングサーボ手段を前記任意のディスクに対応した処理特性及びサーボ特性に切換えるシステム設定手段と、
再生装置に装填されたディスクの種類を識別する手段とを具備し、
前記システム制御手段は、さらに前記識別する手段で判断されたディスクの種類が操作入力情報により指定されたディスクの種類であるかどうかを確認し、異なる場合は警告を表示する手段
を具備したことを特徴とする光ディスク再生装置。
【請求項１２】
ビームのスポットの大きさが異なる又は波長の異なる複数の光学系を含む光学装置と、
前記複数の光学系の中のいずれか１つを光ディスクに対向させる手段と、
前記光ディスクに照射されたビームの反射光を検出する検出手段と、
前記ディスクに対するフォーカス調整機構及び前記ディスクに対するトラッキング調整機構と、
前記光ディスクの種類に応じて処理特性を切換え可能であり、前記検出手段が検出した信号を用いて、前記ディスクに記録されている信号を再生する信号処理部と、
前記光ディスクの種類に応じて特性を切換え可能であり、前記検出手段が検出した信号を用いて、フォーカス判別用信号を生成し、前記フォーカス調整機構にフィードバックするフォーカスサーボ手段と、
前記ディスクの種類に応じて特性を切換え可能であり、前記検出手段が検出した信号を用いて、トラッキング判別用信号を生成し、前記トラッキング調整機構にフィードバックするトラッキングサーボ手段と、
ディスクの種類の指定入力情報に応じて、前記複数の光学系のうち、使用する光学系として任意のディスクに適応した任意の光学系を、前記切り換え手段に選択させる光学系設定手段を含みむシステム制御手段と、
前記光学系設定手段が前記任意の光学系を選択したときに、前記信号処理部及びフォーカスサーボ手段、トラッキングサーボ手段を前記任意のディスクに対応した処理特性及びサーボ特性に切換えるシステム設定手段と、
再生装置に装填されたディスクの種類を識別する手段とを具備し、
前記システム制御手段は、さらに
前記信号処理部での再生信号のエラーが所定量以上のときに警告を表示する手段と、
前記再生信号のエラーが前記所定量以下となるように、前記光学系設定手段を介してユーザがディスクの種類の指定を変え、また、前記ユーザが指定したディスクの種類に応じて前記システム設定手段が再生状態を設定するときは、再生状態を続行する手段と、
を具備したことを特徴とする光学式ディスクの再生装置。
【請求項１３】
ビームのスポットの大きさが異なる又は波長の異なる複数の光学系を含む光学装置と、
前記複数の光学系の中のいずれか１つを光ディスクに対向させる切換え手段と、
前記光ディスクに照射されたビームの反射光を検出する検出手段と、
前記ディスクに対するフォーカス調整機構及び前記ディスクに対するトラッキング調整機構と、
前記光ディスクの種類に応じて処理特性を切換え可能であり、前記検出手段が検出した信号を用いて、前記ディスクに記録されている信号を再生する信号処理部と、
前記光ディスクの種類に応じて特性を切換え可能であり、前記検出手段が検出した信号を用いて、フォーカス判別用信号を生成し、前記フォーカス調整機構にフィードバックするフォーカスサーボ手段と、
前記ディスクの種類に応じて特性を切換え可能であり、前記検出手段が検出した信号を用いて、トラッキング判別用信号を生成し、前記トラッキング調整機構にフィードバックするトラッキングサーボ手段と、
ディスクの種類の指定入力情報に応じて、前記複数の光学系のうち、使用する光学系として任意のディスクに適応した任意の光学系を、前記切り換え手段に選択させる光学系設定手段と、
前記光学系設定手段が前記任意の光学系を選択したときに、前記信号処理部及びフォーカスサーボ手段、トラッキングサーボ手段を前記任意のディスクに対応した処理特性及びサーボ特性に切換えるシステム設定手段と、
前記信号処理部での再生信号のエラーが所定量より多い場合に、ディスクの種類の指定を切換えするディスク設定モード切換え手段と、
前記信号処理部での再生信号のエラーが所定量より少ない場合に、再生動作を続行させる手段と
を具備したことを特徴とする光学式ディスクの再生装置。